(57)【要約】【課題】本発明は、テレビ視聴と来客視認の両方を十分に機能させることが可能なインターフォン装置を提供することを目的とするものである。【解決手段】本体部１は、ＴＶ視聴機能を有する表示装置２を着脱可能に装着しており、本体部１と表示装置２との間は無線通信により情報が送受信される、そのため、表示装置２を本体部１から分離してＴＶ視聴することができる。そして、来客情報が本体部１から表示装置２に送信された場合には、制御回路２００は、表示処理回路２１１を制御してＴＶ映像情報及び来客映像情報の画面表示を変更するとともに、タッチパネル用アイコンを表示して表示装置２からもインターフォン機能の操作を可能とする。【選択図】図４
2006295744.tif 000002
【特許請求の範囲】
【請求項１】
インターフォン装置の本体部から受信したＴＶ映像情報及び来客映像情報をモニタに表示する表示処理手段と、前記本体部に装着されたか否か検知する装着有無検知手段と、前記装着有無検知手段からの検知信号に基づいて前記ＴＶ映像情報及び前記来客映像情報の画面表示を変更するよう前記表示処理手段を制御する画像表示制御手段とを備えていることを特徴とする表示装置。
【請求項２】
インターフォン装置の本体部から受信したＴＶ映像情報及び来客映像情報をモニタに表示する表示処理手段と、画面上においてタッチパネルにより操作情報を入力する入力手段と、前記本体部に装着されたか否か検知する装着有無検知手段と、前記装着有無検知手段からの装着無しの検知信号に基づいてタッチパネル用アイコンを表示するよう前記表示処理手段を制御する画像表示制御手段とを備えていることを特徴とする表示装置。
【請求項３】
前記画像表示制御手段は、前記本体部から受信した前記来客映像情報に基づいて来客を報知するタッチパネル用アイコンを表示することを特徴とする請求項１又は２に記載の表示装置。
【請求項４】
本体部に着脱可能に装着される請求項１から３のいずれかに記載の表示装置と、室外機との間で情報を送受信する通信手段及び前記表示装置との間で情報を送受信する無線通信手段を有する本体部とを備えていることを特徴とするインターフォン装置。
【請求項５】
本体部に着脱可能に装着される表示部と、室外機との間で情報を送受信する通信手段及び前記表示部との間で情報を送受信する無線通信手段を有する本体部とを備えたインターフォン装置であって、
前記本体部は、前記室外機からの来客映像情報を来訪順に記憶する記憶手段と、未対応の来客映像情報が前記記憶手段に記憶されている場合に当該来客映像情報を留守客情報として前記表示部に送信する留守客表示制御手段とを備え、
前記表示部は、前記本体部から受信した前記留守客情報に基づいて来客があったことを報知するタッチパネル用アイコンを表示するアイコン表示制御手段と、前記留守客情報に基づいて複数の来客映像情報を一覧表示する一覧表示制御手段とを備えていることを特徴とするインターフォン装置。
【請求項６】
前記本体部は、人体の接近を検知する人体検知手段を備えており、前記留守客表示制御手段は、前記人体検知手段からの検知信号に基づいて前記表示部に留守客情報を送信することを特徴とする請求項５に記載のインターフォン装置。
【請求項７】
前記本体部は、前記表示部が装着されているか否か検知する装着有無検知手段を備えており、前記留守客表示制御手段は、前記装着有無検知手段が装着無しと検知している場合に音声により来客があったことを報知することを特徴とする請求項５又は６に記載のインターフォン装置。
【発明の詳細な説明】
【技術分野】
【０００１】
本発明は、テレビジョン放送信号を受信してＴＶ情報を出力する表示装置を備えたインターフォン装置に関する。
【背景技術】
【０００２】
インターフォン装置は、カメラを有する室外機及びモニタ等の表示部を有する室内機を備え、来客を室外機のカメラで撮影して室内機の表示部に表示し来客の容姿を確認できるようにされており、近年の防犯意識の向上とともに普及しつつある。こうしたインターフォン装置のモニタ等の表示部をテレビジョン受像機等の表示装置に兼用することも行われている。
【０００３】
例えば、特許文献１では、ドアホーンからの監視カメラのビデオ信号と電話回線の静止画とＦＡＸ回線からのＦＡＸデータとテレビジョン信号受信回路からのテレビジョン放送のテレビジョン信号をマルチプレクサ及び切換回路に供給して、各ビデオ信号を画面を４分割して表示したり、親画面を切換回路で選択してマルチプレクサで子画面を選択して表示する点が記載されている。また、特許文献２では、インターフォン等の情報機器からの情報をテレビジョン受像機が受信した際に、受信した情報を視聴者に報知するようにして、ＴＶ視聴中でもインターフォンが操作されたのが分かるようにした点が記載されている。また、特許文献３では、玄関先等を撮るカメラと、玄関先等に人間が立ったか否かを検出する赤外線感知部と、カメラの映像信号と赤外線感知部の検知信号とをＲＦ信号に変換して微弱電波で送信する送信ユニットと、ＲＦ信号を受信すると共にテレビ受像機を制御するＡＶバス制御用マイコンを有し、ＡＶバス制御用マイコンが検知信号を検知すると、テレビ受像機の電源がオフの場合には電源をオンにしてカメラの映像信号をテレビ受像機に映出するようにした点が記載されている。また、特許文献４では、ドアホン親機に接離自在にポータブル親機を設け、ポータブル親機にドアホン子機のカメラからの映像信号を送信する親機映像出力ライン及びＴＶチューナからの映像信号を送信するテレビ映像出力ラインを切替えてモニタに接続する映像切替スイッチと、ＴＶチューナからの音声信号を送信するテレビ音声出力ラインに切替えてポータブル親機スピーカに接続する音声切替スイッチとを設け、ポータブル親機の離脱時または停電時に電源監視回路でモニタをドアホン子機のカメラからＴＶチューナに、スピーカをドアホン子機からＴＶチューナに切替える点が記載されている。
【特許文献１】特開平９−１４９３３３号公報
【特許文献２】特開２００１−１６９１９８号公報
【特許文献３】特開平９−９５５５９号公報
【特許文献４】特開１１−２２０７２４号公報
【発明の開示】
【発明が解決しようとする課題】
【０００４】
上記のような従来のインターフォン装置では、インターフォン装置のモニタ等の表示部をテレビジョン受像機と兼用することで、モニタ等の表示部を有効活用することができるが、テレビジョン受像機として視聴すること及びモニタとして来客を視認することの両方を十分に機能させているとはいえない。例えば、特許文献１では、テレビジョン受像機にドアホーンの監視カメラからの映像を表示するようにしているが、テレビの視聴中に監視カメラの映像が表示されると、テレビの映像が見にくくなってテレビ画像表示機能が低下する。同様に、特許文献２及び３でもテレビ受像機にインターフォンからの画像情報を表示するようにしているが、やはりテレビの映像が見にくくなることは避けられない。すなわち、テレビジョン受像機として使用されているものを来客視認用に用いることは、テレビ視聴と来客視認の両方が中途半端にならざるを得ない。
【０００５】
これに対して、特許文献４では、ドアホン親機の表示部をポータブル親機として接離自在に設け、ポータブル親機を離脱した時にはポータブルテレビとして用いるようにされているが、ポータブルテレビとして使用しているときには来客を視認する機能はない。
【０００６】
そこで、本発明は、テレビ視聴と来客視認の両方を十分に機能させることが可能なインターフォン装置を提供することを目的とするものである。
【課題を解決するための手段】
【０００７】
本発明に係る表示装置は、インターフォン装置の本体部から受信したＴＶ映像情報及び来客映像情報をモニタに表示する表示処理手段と、前記本体部に装着されたか否か検知する装着有無検知手段と、前記装着有無検知手段からの検知信号に基づいて前記ＴＶ映像情報及び前記来客映像情報の画面表示を変更するよう前記表示処理手段を制御する画像表示制御手段とを備えていることを特徴とする。
【０００８】
本発明に係る別の表示装置は、インターフォン装置の本体部から受信したＴＶ映像情報及び来客映像情報をモニタに表示する表示処理手段と、画面上においてタッチパネルにより操作情報を入力する入力手段と、前記本体部に装着されたか否か検知する装着有無検知手段と、前記装着有無検知手段からの装着無しの検知信号に基づいてタッチパネル用アイコンを表示するよう前記表示処理手段を制御する画像表示制御手段とを備えていることを特徴とする。
【０００９】
本発明に係るインターフォン装置は、上記の表示装置と、室外機との間で情報を送受信する通信手段及び前記表示装置との間で情報を送受信する無線通信手段を有する本体部とを備えていることを特徴とする。
【００１０】
本発明に係る別のインターフォン装置は、本体部に着脱可能に装着される表示部と、室外機との間で情報を送受信する通信手段及び前記表示部との間で情報を送受信する無線通信手段を有する本体部とを備えたインターフォン装置であって、前記本体部は、前記室外機からの来客映像情報を来訪順に記憶する記憶手段と、未対応の来客映像情報が前記記憶手段に記憶されている場合に当該来客映像情報を留守客情報として前記表示部に送信する留守客表示制御手段とを備え、前記表示部は、前記本体部から受信した前記留守客情報に基づいて来客があったことを報知するタッチパネル用アイコンを表示するアイコン表示制御手段と、前記留守客情報に基づいて複数の来客映像情報を一覧表示する一覧表示制御手段とを備えていることを特徴とする。さらに、前記本体部は、人体の接近を検知する人体検知手段を備えており、前記留守客表示制御手段は、前記人体検知手段からの検知信号に基づいて前記表示部に留守客情報を送信することを特徴とする。さらに、前記本体部は、前記表示部が装着されているか否か検知する装着有無検知手段を備えており、前記留守客表示制御手段は、前記装着有無検知手段が装着無しと検知している場合に音声により来客があったことを報知することを特徴とする。
【発明の効果】
【００１１】
本発明に係る表示装置は、上記のような構成を有することで、本体部に装着しているか否か装着有無検知手段により検知して、装着の有無によりＴＶ映像情報及び来客映像情報の画面表示を変更するようにしているので、本体部に装着している場合には来客視認が容易な画面レイアウトとし、本体部から取り外されている場合にはＴＶ視聴が容易な画面レイアウトにするといった使用状態に合せた画面表示を行うことができる。
【００１２】
また、本発明に係る別の表示装置は、上記のような構成を有することで、タッチパネルによる操作情報の入力手段を設け、本体部に装着されていないことを装着有無検知手段が検知した場合に、表示画面にタッチパネル用のアイコンを表示して、インターフォン装置の操作に必要な通話ボタンや開錠ボタン等を表示装置でも操作できるようになる。そのため、表示装置を本体部から取り外して別の部屋でＴＶ視聴している場合でもその場でインターフォン装置の操作ができ、非常に利便性が高まる。そして、本体部から受信した来客情に基づいて来客を報知するアイコンを表示することで、ＴＶ視聴を妨げることなく来客があったことを知ることができ、そのアイコンにワンタッチすることで来客映像情報を表示するといったことが可能となり、操作性に優れたものとなる。
【００１３】
本発明に係るインターフォン装置は、上記の表示装置が本体部と着脱可能とされて本体部との間では無線通信手段により情報をやりとりできるので、表示装置を取り外して携帯用のテレビと使用しても室外機からの来客情報が無線通信により表示装置で受信されて来客を確認することができる。
【００１４】
また、本発明に係る別のインターフォン装置は、上記のような構成を有することで、本体部において来客映像情報を来訪順に記憶しておき、未対応の来客映像情報が記憶されている場合に表示部に来客があったことを報知するタッチパネル用アイコンを表示するので、容易に来客があったことを確認することができ、さらに、記憶された複数の来客映像情報を一覧表示することでどのような来客があったかを一度に視認することが可能となる。そして、本体部に人体の接近を検知する人体検知手段を設け、人体検知手段からの検知信号により来客があったことを報知するアイコンを表示するようにすれば、人が近づくだけで自動的に留守中の来客があったことが報知されるようになる。さらに、本体部に表示部が装着されているか否か検知する装着有無検知手段を設け、装着有無検知手段が装着無しと検知している場合に音声により来客があったことを報知するようにすれば、表示部が装着されていない場合にも留守中に来客があったことを確実に報知することができるようになる。
【発明を実施するための最良の形態】
【００１５】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１６】
図１及び図２は、本発明の実施形態に関するインターフォン装置の外観図である。インターフォン装置は、本体部１、表示装置２及び室外機３からなり、図１は、本体部１に表示装置２が装着された状態を示しており、図２は、表示装置２を本体部１から分離した状態を示している。
【００１７】
本体部１は、スピーカ１０、マイク１１、解錠ボタン１２、通話ボタン１３、録画ボタン１４、音量ボリューム１５及び装着検知スイッチ１６を備えており、表示装置２は、モニタ２０、スピーカ２１ａ及び２１ｂ、マイク２２を備えている。また、室外機３は、スピーカ３０、ビデオカメラ３１、マイク３２及び呼出しボタン３３を備えている。
【００１８】
室外機３と本体部１との間は、無線通信により情報を送受信するようになっており、本体部１と表示装置２との間についても、同様に無線通信により情報を送受信するようになっている。
【００１９】
来訪者が室外機３の呼出しボタン３３を押すと、ビデオカメラ３１が作動して来訪者を撮影し室内の本体部１に来客情報を送信する。本体部１は、来客情報を受信すると表示装置２に来客情報を送信し、表示装置２はモニタ２０に来客の映像情報を表示する。一方、本体部１は、スピーカ１０から報知音を出力して来客があったことをユーザに報知する。そして、ユーザが通話ボタン１３を押すと、ユーザの音声がマイク１１を通して本体部１から室外機３に送信されて室外機３のスピーカ３０から出力される。以後来訪者とユーザとの間の会話は、本体部１のスピーカ１０及びマイク１１並びに室外機３のスピーカ３０及びマイク３２を用いて行われるようになる。そして、ユーザが解錠ボタン１２を押すと、玄関ドアの施錠が解除されて来訪者が入場可能となる。また、ユーザが録画ボタン１４を押すと、来訪者の映像が録画されるようになる。
【００２０】
なお、後述するように、表示装置２が本体部１から分離した状態では、表示装置２のスピーカ２１ａ及び２１ｂ、マイク２２を用いて来訪者と会話が可能となるようにされており、表示装置２が本体部１に装着された状態では、表示装置２のスピーカ２１ａ及び２１ｂ、マイク２２は機能しないようにされている。
【００２１】
装着検知スイッチ１６は、表示装置２が本体部１に装着されているか検知するためのもので、図２には図示されていないが、表示装置２側にも装着検知のためのセンサが設けられている。
【００２２】
図３は、室外機３に関する機能ブロック図を示している。室外機３は、制御回路３００、ＲＡＭ３０１、ＲＯＭ３０２、通信Ｉ／Ｆ３０３、映像信号処理回路３０４、周波数変調回路３０５、増幅回路３０６及び電源回路３０７を備えている。
【００２３】
制御回路３００は、室外機３全体の制御処理を行うもので、ＲＯＭ３０２に記憶されたプログラムを読み込んで制御処理を行う。また、制御回路３００は、データの書き込み処理や読み出し処理を行う際の作業領域としてＲＡＭ３０１を用いる。
【００２４】
カメラ３１で撮影された来訪者の映像情報は映像信号処理回路３０４で処理されて周波数変調回路３０５に出力される。周波数変調回路３０５は、映像信号を周波数変調して制御回路３００に入力される。一方、スピーカ３０及びマイク３２には増幅回路３０６が接続されており、マイク３２から入力された来訪者の音声情報は増幅回路３０６で増幅されて制御回路３００に入力され、周波数変調回路３０５からの映像信号と多重化される。こうして生成された映像音声多重信号を来客情報として通信Ｉ／Ｆ３０３を介して本体部１に送信する。
【００２５】
また、電源回路３０７は、通信Ｉ／Ｆ３０３を介して本体部１から受信した音声信号と電源とが多重化された音声電源多重信号を制御回路３００で分離処理した電源を各回路に供給するもので、分離処理された音声情報は、増幅回路３０６で増幅されてスピーカ３０から出力される。
【００２６】
図４は、本体部１及び表示装置２に関する機能ブロック図を示している。本体部１は、制御回路１００、ＲＡＭ１０１、ＲＯＭ１０２、画像メモリ１０３、スピーカ１０及びマイク１１と接続する増幅回路１０４、人体検知センサ１０５、装着検知センサ１０６、ＡＣ１００Ｖ電源１０８と接続するＡＣ／ＤＣ変換回路１０７、通信Ｉ／Ｆ１０９、選局回路１０９、ＴＶチューナ１１０及びＴＶ情報処理回路１１１を備えている。
【００２７】
制御回路１００は、本体部１全体の制御処理を行うもので、ＲＯＭ１０２に記憶されたプログラムを読み込んで制御処理を行う。また、制御回路１００は、データの書き込み処理や読み出し処理を行う際の作業領域としてＲＡＭ１０１を用いる。
【００２８】
また、制御回路１００は、通信Ｉ／Ｆ１０９を介して受信した室外機３からの来客情報を分離処理して音声情報を取り出し、取り出された音声情報は増幅回路１０４で増幅してスピーカ１０から出力される。また、分離処理された映像情報は、画像メモリ１０３に静止画像として来客日時とともに蓄積される。さらに、制御回路１００は、受信した来客情報を通信Ｉ／Ｆ１０９を介して表示装置２に送信する。画像メモリ１０３には所定人数分の静止画像が蓄積され、所定の人数分を超えると古いデータから順次消去していく。
【００２９】
また、制御回路１００は、選局回路１０９を制御してＴＶチューナ１１０から所望のチャンネルのＴＶ放送信号を受信し、ＴＶ情報処理回路１１１でＴＶ放送信号を処理して表示装置２に送信するためにエンコードする。
【００３０】
マイク１１から入力されたユーザの音声情報は、増幅回路１０４で増幅されて制御回路１００に入力される。一方、ＡＣ／ＤＣ変換回路１０７は、ＡＣ１００Ｖ電源１０８から供給される交流電源を直流電源に変換し各回路に電源供給するとともに、制御回路１００においてマイク１１からの音声情報及び電源を多重化して音声電源多重信号を生成し、通信Ｉ／Ｆ１０９を介して室外機３に送信される。
【００３１】
解錠ボタン１２からの入力信号に基づいて、制御回路１００は図示せぬネットワークを介して玄関ドアの施錠装置に解錠信号を送信して解錠させる。また、通話ボタン１３からの入力信号に基づいて、制御回路１００はマイク１１からのユーザの音声情報を室外機３に送信して通話可能な状態とするとともに室外機３からの来客情報に基づいて来訪者の音声情報をスピーカ１０に出力させるように制御する。また、通話可能な状態において再度通話ボタン１３から入力信号が送信されると、制御回路１００は通話可能な状態を停止するとともに表示装置２への来客情報の送信も停止する。また、録画ボタン１４からの入力信号に基づいて、制御回路１００は来客情報から分離した映像情報を画像メモリ１０３に録画処理する。
【００３２】
人体検知センサ１０５は、本体部１から所定距離離れた範囲内に人が進入した場合にそれを検知して検知信号を制御回路１００に送信する。制御回路１００は、後述するように、留守中に来客があって応対していない来客情報が蓄積されている場合に、人体検知センサ１０５からの検知信号に基づいて、自動的に来客があったことを報知するように制御する。
【００３３】
装着検知センサ１０６は、装着検知スイッチ１６に接続されて表示装置２が本体部１に装着されているか否か検知して検知信号を制御回路１００に送信する。制御回路１００は、表示装置２の装着が検知されている場合には、本体部１の操作入力のみ有効となるように制御し、表示装置２の装着が検知されない場合、すなわち表示装置２が分離されている場合には、本体部１及び表示装置２のいずれの操作入力も有効となるように制御し、先に操作された入力が優先処理される。
【００３４】
ＡＣ／ＤＣ変換回路１０７は、表示装置２の装着時に接続される外部端子に電源を供給するようになっており、外部端子を介して表示装置２にも電源を供給する。
【００３５】
表示装置２は、制御回路２００、ＲＡＭ２０１、ＲＯＭ２０２、画像メモリ２０３、装着検知センサ２０４、タッチパネル入力回路２０５、電源回路２０６、ＴＶ情報処理回路２０７、来客情報処理回路２０８、表示処理回路２０９、切換回路２１０、アイコン処理回路２１１、増幅回路２１２及び通信Ｉ／Ｆ２１３を備えている。
【００３６】
制御回路２００は、表示装置２全体の制御処理を行うもので、ＲＯＭ２０２に記憶されたプログラムを読み込んで制御処理を行う。また、制御回路２００は、データの書き込み処理や読み出し処理を行う際の作業領域としてＲＡＭ２０１を用いる。
【００３７】
画像メモリ２０３には、タッチパネル用のアイコン、各種報知用のアイコンが予め登録されており、また、本体部１から送信された来客映像情報を記憶する。装着検知センサ２０４は、表示装置２が本体部１に装着されているか検知する。タッチパネル入力回路２０５は、モニタ２０に表示されたタッチパネル用アイコンにユーザが接触することで各種操作入力がなされる。電源回路２０６は、外部端子を介して本体部１のＡＣ／ＤＣ変換回路１０７から電源供給を受けて各回路に電源を供給する。また、図示しないバッテリの残量を監視し残量が少なくなるとアラーム信号を制御回路２００に送信する。
【００３８】
通信Ｉ／Ｆ２１３を介して受信したＴＶ情報は、制御回路２００からＴＶ情報処理回路２０７に入力される。そして、ＴＶ情報処理回路２０７においてデコードされて映像／音声分離処理され、ＴＶ映像情報は表示処理回路２０９に出力し、ＴＶ音声情報は切換回路２１１に出力する。また、通信Ｉ／Ｆ２１３を介して受信した来客情報は、制御回路２００から来客情報処理回路２０８に入力される。そして、来客情報処理回路２０８においてデコードされて映像／音声分離処理され、来客映像情報は表示処理回路２０９に出力し、来客音声情報は切換回路２１１に出力する。
【００３９】
表示処理回路２０９は、入力されたＴＶ映像情報及び来客映像情報をモニタ２０に表示される。また、表示処理回路２０９には、制御回路２００を介してタッチパネル用アイコン等の画像情報を処理するアイコン処理回路２１１よりアイコン情報が入力される。
【００４０】
切換回路２１０は、入力されたＴＶ音声情報及び来客音声情報を適宜切り換えてスピーカ２１ａ及び２１ｂに出力する。マイク２２からのユーザの音声情報は、増幅回路２１２により増幅されて制御回路２００に入力されて通信Ｉ／Ｆ２１３を介して本体部１に送信される。
【００４１】
制御回路２００は、表示処理回路２０９を制御することで、ＴＶ映像情報及び来客映像情報を適宜画面表示変更を行う。図５は、ＴＶ観賞中に来客映像情報が入力された場合の画面表示変更の例を示している。図５（Ａ）では、来客表示画面をメインウィンドウとしＴＶ表示画面を左上隅のサブウィンドウとし、右下隅に来客があったことを報知するアイコンＭ１を表示する。図５（Ｂ）では、ＴＶ表示画面をそのままメインウィンドウとし来客表示画面を左上隅のサブウィンドウとし、右下隅に来客があったことを報知するアイコンＭ１を表示する。アイコンＭ１は、画像メモリ２０３に登録されており、制御回路２００は来客情報が入力されると画像メモリ２０３から読み出して表示する。
【００４２】
制御回路２００は、切換回路２１４を制御することで、ＴＶ音声情報又は来客音声情報を切り換えてスピーカ２１ａ及び２１ｂから出力する。例えば、図５（Ａ）では、インターフォン機能が優先されているので、ＴＶ音声から来客音声に切り換えて出力する。また、図５（Ｂ）では、ＴＶ機能が優先されているので、ＴＶ音声が出力される。
【００４３】
なお、アイコンＭ１をタッチパネル用のアイコンと兼用してアイコンＭ１に触れることで、図５（Ａ）から図５（Ｂ）への画面変更又はその逆の画面変更を行うことができるようにしてもよい。
【００４４】
図６は、表示装置２が本体部１に装着又は分離されている場合の画面表示例を示している。装着検知センサ２０４が表示装置２の装着を検知している場合に来客情報が入力されると、制御回路２００は、図６（Ａ）に示すように、表示処理回路２１１を制御して来客表示画面をメインウィンドウに表示し、来客があったことを報知するアイコンＭ１を表示する。装着検知センサ２０４が表示装置２の分離を検知している場合に来客情報が入力されると、制御回路２００は、図６（Ｂ）に示すように、来客表示画面をメインウィンドウに表示し、来客があったことを報知するアイコンＭ１を表示するとともに、タッチパネル用のアイコンＨ１〜Ｈ４を表示する。タッチパネル用のアイコンＨ１〜Ｈ４は、本体部１の通話ボタン１３に対応する終了アイコンＨ１及び話すアイコンＨ２、本体部１の録画ボタン１４に対応する録画アイコンＨ３、本体部１の解錠ボタン１２に対応する解錠アイコンＨ４となっており、表示装置２が分離されていても本体部１と同様の操作入力が可能となっている。アイコンＨ１〜Ｈ４は、画像メモリ２０３に登録されており、制御回路２００は来客情報が入力されると画像メモリ２０３から読み出して表示する。なお、上述したように、本体部の操作入力との競合が生じた場合には先に操作したほうが優先して処理されるようになる。
【００４５】
図７は、表示装置２を本体部１から分離してＴＶ観賞中に来客情報が入力された場合の画面表示例を示している。制御回路２００は、装着検知センサ２０４が表示装置２の分離を検知している場合に来客情報が入力されると、図７（Ａ）に示すように、来客があったこを報知するアイコンＭ２を右下隅に表示するように制御する。そして、アイコンＭ２はタッチパネル用のアイコンも兼ねており、アイコンＭ２に触れることで、図７（Ｂ）に示すインターフォン画面へ切り換えられる。図７（Ｂ）では、来客表示画面がメインウィンドウに表示されてＴＶ表示画面は左上隅のサブウィンドウに表示される。また、タッチパネル用アイコンＨ１〜Ｈ５が表示されるとともに来客報知用アイコンをＭ１に切換表示して、インターフォン機能に関する操作入力が可能となる。
【００４６】
このように、表示装置２が分離されている場合には、ＴＶ観賞が優先されて来客があったことを報知するアイコン表示のみとなる。ユーザがアイコンに触れることでインターフォン画面に移行するため、来客により突然ＴＶ観賞が妨げられることを避けることができ、快適なＴＶ観賞を行うことが可能となる。また、表示装置２が本体部１から離れた場所にあってもタッチパネルの操作によりインターフォン機能を利用することができ、来客に対しても十分対応することが可能となる。
【００４７】
図８及び図９は、表示装置２において来客情報処理に関するフローを示している。図８に示すように、来客情報が本体部１から送信されたか否かチェックし（Ｓ１００）、送信された場合には装着検知センサ２０４が装着を検知しているか否かチェックする（Ｓ１０１）。本体部１に表示装置２が装着されている場合には、ＴＶ視聴中か否かチェックし（Ｓ１０２）、ＴＶ視聴中の場合には来客表示画面をメイン表示し、ＴＶ表示画面をサブ表示するように画面表示を変更する（Ｓ１０３）。そして、来客報知用アイコンＭ１を表示して（Ｓ１０４）来客音声に切換処理する（Ｓ１０５）。ステップＳ１０２でＴＶを視聴していない場合には、来客表示画面をメイン表示し（Ｓ１０６）、来客報知用アイコンＭ１を表示して（Ｓ１０７）来客音声に切換処理する（Ｓ１０８）。
【００４８】
ステップＳ１０１で表示装置２が本体部１に装着されていないと検知された場合、すなわち分離されている場合には、図９に示すように、ＴＶ視聴中か否かチェックし（Ｓ１０９）、ＴＶ視聴中の場合にはＴＶ表示画面をメイン表示のままにし（Ｓ１１０）、来客報知用アイコンＭ２を表示する（Ｓ１１１）。そして、アイコンＭ２にタッチ操作入力があったかチェックし（Ｓ１１２）、タッチ入力があった場合には来客表示画面をメイン表示し、ＴＶ表示画面をサブ表示するように画面表示を変更する（Ｓ１１３）とともに、来客報知用アイコンＭ１及びタッチパネル用アイコンＨ１〜Ｈ５を表示して（Ｓ１１４）来客音声に切換処理する（Ｓ１１５）。ステップＳ１０９でＴＶを視聴していない場合には、来客表示画面をメイン表示し（Ｓ１１６）、来客報知用アイコンＭ１及びタッチパネル用アイコンＨ１〜Ｈ５を表示して（Ｓ１１７）来客音声に切換処理する（Ｓ１１８）。
【００４９】
次に、ユーザが留守中に来客があった場合の処理について説明する。図１０は、来客があった場合の本体部１の処理フローを示している。本体部１の制御回路１００は、室外機３から来客情報が送信されたか否かチェックし（Ｓ２００）、来客情報が送信されると送信された来客の映像情報を静止画像として画像メモリ１０３に記憶するとともに日時等のデータを記憶する（Ｓ２０１）。そして、操作入力がなされたかチェックし（Ｓ２０２）、操作入力がなされた場合にはその操作入力にしたがいインターフォン処理を行う。操作入力がない場合には所定時間経過したか否かチェックし（Ｓ２０３）、所定時間経過した場合には記憶した来客映像情報に対応して未対応フラグをセットする（Ｓ２０４）。こうしてユーザの応答のない来客情報は留守客情報として記憶される。
【００５０】
図１１は、本体部１に記憶された留守客情報を表示装置２に表示するための処理フローを示している。本体部１の制御回路１００は、未対応フラグをチェックして留守客情報の有無をチェックし（Ｓ３００）、留守客情報がある場合には人体検知センサ１０５が人体検知信号を出力しているかチェックする（Ｓ３０１）。人体検知出力がある場合には、画像メモリ１０３に記憶された来客映像情報の静止画像を所定人数分表示装置２に送信する（Ｓ３０２）。その際に静止画像に対応する日時データや未対応フラグデータについても併せて送信される。送信後装着検知センサ１０６が表示装置２の装着を検知しているかチェックし（Ｓ３０３）、表示装置２が装着されていない場合には、来客があった旨の音声出力をして（Ｓ３０４）未対応フラグをリセットして（Ｓ３０５）終了する。
【００５１】
一方、表示装置２では、ステップＳ３０２において留守客情報を含む静止画像が送信されると、送信された静止画像及びそれに対応する日時データや未対応フラグデータを画像メモリ２０３に記憶し（Ｓ３０６）、図１２に示すように、来客報知アイコンＭ２を表示する（Ｓ３０７）とともに来客があった旨の報知音声出力を行う（Ｓ３０８）。アイコンＭ２はタッチパネル用のアイコンも兼ねており、アイコンＭ２にタッチ操作入力がなされたかチェックされる（Ｓ３０９）。タッチ操作がなされないと、ステップＳ３１０の報知音声出力が繰り返される。タッチ操作入力があると、図１３（Ａ）に示すように、画像メモリ２０３に記憶された静止画像を一覧表示するとともに関連するアイコン表示が行われる（Ｓ３１０）。図１３（Ａ）に示す一覧表示画面では、静止画像とともに来客日時が表示され、未対応フラグがセットされた静止画像には「ＮＥＷ」の識別表示が加えられる。そして、静止画像にタッチ操作することでその静止画像を拡大表示に切り換える（図１３（Ｂ）参照）−といった操作処理が行われる（Ｓ３１１）。なお、画像メモリ２０３に記憶された静止画像は、個々に削除処理をするか一覧表示後一括削除するようにしてもよい。
【００５２】
以上のように、本体部１は、留守客情報が記憶されていると、人体検知センサ１０５により本体部１にユーザが接近した際に自動的に表示装置２に来客映像情報を送信して表示装置２に表示させるようにしているので、ユーザがいちいち留守中に来客があったか確認する必要がない。また、アイコン表示や音声出力によってユーザに報知するので、留守客があったことを容易に認識することができる。そして、表示装置２が分離されている場合でも、本体部１から音声出力によりユーザに報知されるため、ユーザに確実に報知することができる。
【００５３】
なお、上記の例では、来客映像情報として静止画像を記憶するようにしているが、来客映像情報を録画しておき、録画した映像情報を表示装置２において動画表示するようにしてもよい。
【図面の簡単な説明】
【００５４】
【図１】本発明に係る実施形態に関する外観図である。
【図２】図１において表示装置２が分離された状態を示す外観図である。
【図３】室外機３に関する機能ブロック図である。
【図４】本体部１及び表示装置２に関する機能ブロック図である。
【図５】ＴＶ表示画面及び来客表示画面を表示する画面レイアウトに関する図である。
【図６】ＴＶ表示画面及び来客表示画面を表示する画面レイアウトに関する図である。
【図７】表示装置２を分離してＴＶ観賞中に来客情報が入力された場合の画面レイアウトに関する図である。
【図８】表示装置２における来客情報処理に関するフローである。
【図９】表示装置２における来客情報処理に関するフローである。
【図１０】来客があった場合の本体部１の処理フローである。
【図１１】本体部１に記憶された留守客情報を表示装置２に表示するための処理フローである。
【図１２】留守中の来客を報知する画面レイアウトに関する図である。
【図１３】留守中の来客映像情報を表示する画面レイアウトに関する図である。
【符号の説明】
【００５５】
１    本体部
２    表示装置
３    室外機
10    スピーカ
11    マイク
12    解錠ボタン
13    通話ボタン
14    録画ボタン
15    音量ボリューム
16    装着検知スイッチ
20    モニタ
21    スピーカ
22    マイク
30    スピーカ
31    ビデオカメラ
32    マイク
33    呼出しボタン
【図１】
2006295744.tif 000003
【図２】
2006295744.tif 000004
【図３】
2006295744.tif 000005
【図４】
2006295744.tif 000006
【図５】
2006295744.tif 000007
【図６】
2006295744.tif 000008
【図７】
2006295744.tif 000009
【図８】
2006295744.tif 000010
【図９】
2006295744.tif 000011
【図１０】
2006295744.tif 000012
【図１１】
2006295744.tif 000013
【図１２】
2006295744.tif 000014
【図１３】
2006295744.tif 000015